(57)【要約】【課題】本発明の課題は、飛沫感染防止のため、横臥した患者と医療者を分離するもので、使用時でないときは、容積の縮小が可能なエアロゾルボックスを提供することである。【解決手段】本発明のエアロゾルボックスは、分解や折り畳みを可能としたことで、送付や保管時には、小さな容積となり、使用時には、簡単に復元できる。【選択図】図１
2022001165.tif 000002
【特許請求の範囲】
【請求項１】
患者に被せ、前記患者からの飛沫から医療者を分離・保護するボックスであり、前記ボックスは、前記医療者が向き合う前面と、前記医療者が患者を見るための透明部を備えた上面と、前記前面と前記上面を側で把持する左右の側面と、を有し、前記前面と前記側面との少なくとも一方は、前記医療者の手を出し入れする施術穴を有し、使用時の箱状態に対して、不使用時は、容積を縮小可能としたことを特徴とするエアロゾルボックス。
【請求項２】
前記前面、前記上面、前記側面の間は、相互に接続され折り畳み可能な状態と、組み立て時に相互に接続される状態と、を有し、組み立て時に相互に接続される状態は、組み立て時に保持材により相互接続することを特徴とする請求項１記載のエアロゾルボックス。
【請求項３】
前記前面、前記上面、前記側面で組み立て時に相互の接続を容易にするための板間接続具を備えたことを特徴とする請求項１または請求項２記載のエアロゾルボックス。
【請求項４】
前記板間接続具は、両面粘着テープまたは互いに凹凸のはめ合う構造を備えるものであることを特徴とする請求項３記載のエアロゾルボックス。
【請求項５】
折り畳み可能なフレーム構造体と、前記フレーム構造体を広げた状態で外側にかぶせるか、または内側に張るカバーシートを有し、前記カバーシートは、少なくとも前記上面に位置する部分は前記透明部を備え、更に、前記前面と前記側面の少なくとも一方に対応する前記カバーシートの部分は、前記施術穴を備え、前記フレーム構造体は、前記上面と、前記上面に対向する底側との間隔が縮小・拡大できるように、前記対向する面を構成する構造間に回転と伸縮による折畳機構を備え、前記上面と前記上面に対向する底側との間隔が拡大している場合は、前記上面と前記上面に対向する底側との間隔が固定され、前記上面と前記上面に対向する底側との間隔が縮小する場合は、前記上面と前記上面に対向する底側との間隔が自在になる固定・解放手段を備えることを特徴とする請求項１記載のエアロゾルボックス。
【請求項６】
折り畳み可能なフレーム構造体と、前記フレーム構造体を広げた状態で外側にかぶせるか、または内側に張るカバーシートを有し、前記カバーシートは、少なくとも前記上面に位置する部分は前記透明部を備え、更に、前記前面と前記側面の少なくとも一方に対応する前記カバーシートの部分は、前記施術穴を備え、前記フレーム構造体は、前記前面と、前記前面に対向する奥側との間隔が縮小・拡大できるように、前記対向する二つ側面の位置に回転自在な交差構造の折畳機構を備え、前記前面と前記前面に対向する奥側との間隔が拡大している場合は、前記前面と前記前面に対向する奥側との間隔が固定され、前記前面と前記前面に対向する奥側との間隔が縮小する場合は、前記前面と前記前面に対向する奥側との間隔が自在になる固定・解放手段を備えることを特徴とする請求項１記載のエアロゾルボックス。
【請求項７】
前記固定・解放手段は、棒と、前記棒の先と前記固定のために把持される相手方とに両者の固定と解放を行う掛け外し具を備えるか、
または、板面に透明部を備えた板である窓板又は／及び、板面に前記施術穴を備えた板である前板と、前記窓板又は／及び、前記前板の先と前記固定のために把持される相手方とに両者の固定と解放を行う掛け外し具を備えることを特徴とする請求項６記載のエアロゾルボックス。
【請求項８】
前記前面、前記左右の側面の下側にカバーとなるスカートを備えたことを特徴とする請求項１から請求項７のいずれか１つに記載のエアロゾルボックス。
【発明の詳細な説明】
【技術分野】
【０００１】
本発明は、横臥した患者の頭部側と施術する医療者とを空間的に分離して、医療者への飛沫による感染を防止するエアロゾルボックスに関するものである。
【背景技術】
【０００２】
図５は、患者からの医療者への感染を防止する従来の装置を示す図である。
図５において、５−１から５−３は、患者が立った（座った）状態に対応するものであり、特許文献１から特許文献３に記述されたものである。５−４は、患者が横臥した状態に対応するものである。５−１では、患者の後ろに置かれるスタンドの上部に付いた手動で半回転可能なカバーにより患者の頭部を覆い、医療者に直接、飛沫が当たりにくくしたものである。
患者の立ち（座り）状態に対応するものとして優れたものであるが、回転により、伸縮する折り目は、消毒殺菌処理がしにくい欠点がある。又、持ち運び容易なものではない。
５−２では、同様に患者の立ち（座り）状態に対応するものであり、患者と医療者の間を透明な衝立で分離し、衝立の患者側で中央高さから上下方向に、エアの流れを作ることで、医療者に直接、飛沫が当たらないようにしたものである。診察室に後から設置できる点で好ましいが、医療では、多くの設備があるので、エアを導入する設備などは、本来的には余分なものになり、付けたり外したりを考えると煩わしい欠点がある。
５−３では、患者の立ち（座り）状態に対応するものとして、必要時に、患者と医療者の間に吊り下げる幕であり、簡単な構成であり、即座の対応がしやすい。欠点として、幕の横幅をある程度大きくしないと漏れが生ずる恐れがある。
上記の３者は、軽症者に対応するもので、横臥状態の様な重症の患者に対応するものではない。
５−４では、上記の３者と違い、横臥した患者と医療者との分離を目的にしたものである。
横臥した患者の頭部に被せる透明な箱状体であり、医療者が患者に施術するための手挿入穴を備えており、市販されている。箱状体は、アクリルの透明板を溶接や接着してしっかりした箱を形成しているが、医療者が利用時はいいが、逆説的に、使用しない状態では、その大きさが邪魔になるという欠点があり、困った存在である。例えば、購入時に、メーカから医療者に送付する場合、送付において、大きな箱状体は不都合な存在であり、壊れないように梱包もしっかりしないといけない。使用時を終えて、使用しない場合の保管は、これも場所をとり、壊れないように気をつかう厄介さがある。この箱状体は、常時使うべき装置ではなく、特殊な状態で一気に使用する性質がある。
このような観点からは、箱状体は、使用時でないときは、小さくするための分解・折り畳みが、使用時には組み立てが容易であることが、この箱状体の特徴として最も重要な課題である。このような観点からみて、横臥者対応の患者と医療者の分離手段は、未だ満足のいく状態ではなかった。
【先行技術文献】
【特許文献】
【０００３】
【特許文献１】特開２０１１−０３１０１９
【特許文献２】特開２０１１−８３３０５
【特許文献３】特開２００４−２２５２３２
【発明の概要】
【発明が解決しようとする課題】
【０００４】
本願の課題は、飛沫感染防止のため、横臥した患者と医療者を分離するもので、
使用時でないときは、容積を小さくするための分解・折り畳みが、使用時には組立・拡大が、容易な箱状体のエアロゾルボックスを提供することである。
【課題を解決するための手段】
【０００５】
以下請求項に沿い記述する。
請求項１記載の発明は、エアロゾルボックスであって、
患者に被せ、前記患者からの飛沫から医療者を分離・保護するボックスであり、前記ボックスは、前記医療者が向き合う前面と、前記医療者が患者を見るための透明部を備えた上面と、前記前面と前記上面を側で把持する左右の側面と、を有し、前記前面と前記側面との少なくとも一方は、前記医療者の手を出し入れする施術穴を有し、使用時の箱状態に対して、不使用時は、容積を縮小可能としたことを特徴とする。
【０００６】
請求項２記載の発明は、請求項１記載のエアロゾルボックスにおいて、
前記前面、前記上面、前記側面の間は、相互に接続され折り畳み可能な状態と、組み立て時に相互に接続される状態と、を有し、組み立て時に相互に接続される状態は、組み立て時に保持材により相互接続することを特徴とする。
【０００７】
請求項３記載の発明は、請求項１または請求項２記載のエアロゾルボックスにおいて、
前記前面、前記上面、前記側面で組み立て時に相互の接続を容易にするための板間接続具を備えたことを特徴とする。
【０００８】
請求項４記載の発明は、請求項３記載のエアロゾルボックスにおいて、
前記板間接続具は、両面粘着テープまたは互いに凹凸のはめ合う構造を備えるものであることを特徴とする。
【０００９】
請求項５記載の発明は、請求項１記載のエアロゾルボックスにおいて、
折り畳み可能なフレーム構造体と、前記フレーム構造体を広げた状態で外側にかぶせるか、または内側に張るカバーシートを有し、前記カバーシートは、少なくとも前記上面に位置する部分は前記透明部を備え、更に、前記前面と前記側面の少なくとも一方に対応する前記カバーシートの部分は、前記施術穴を備え、前記フレーム構造体は、前記上面と、前記上面に対向する底側との間隔が縮小・拡大できるように、前記対向する面を構成する構造間に回転と伸縮による折畳機構を備え、前記上面と前記上面に対向する底側との間隔が拡大している場合は、前記上面と前記上面に対向する底側との間隔が固定され、前記上面と前記上面に対向する底側との間隔が縮小する場合は、前記上面と前記上面に対向する底側との間隔が自在になる固定・解放手段を備えることを特徴とする。
【００１０】
請求項６記載の発明は、請求項１記載のエアロゾルボックスにおいて、
折り畳み可能なフレーム構造体と、前記フレーム構造体を広げた状態で外側にかぶせるか、または内側に張るカバーシートを有し、前記カバーシートは、少なくとも前記上面に位置する部分は前記透明部を備え、更に、前記前面と前記側面の少なくとも一方に対応する前記カバーシートの部分は、前記施術穴を備え、前記フレーム構造体は、前記前面と、前記前面に対向する奥側との間隔が縮小・拡大できるように、前記対向する二つ側面の位置に回転自在な交差構造の折畳機構を備え、前記前面と前記前面に対向する奥側との間隔が拡大している場合は、前記前面と前記前面に対向する奥側との間隔が固定され、前記前面と前記前面に対向する奥側との間隔が縮小する場合は、前記前面と前記前面に対向する奥側との間隔が自在になる固定・解放手段を備えることを特徴とする。
【００１１】
請求項７記載の発明は、請求項６記載のエアロゾルボックスにおいて、
前記固定・解放手段は、棒と、前記棒の先と前記固定のために把持される相手方とに両者の固定と解放を行う掛け外し具を備えるか、
または、板面に透明部を備えた板である窓板又は／及び、板面に前記施術穴を備えた板である前板と、前記窓板又は／及び、前記前板の先と前記固定のために把持される相手方とに両者の固定と解放を行う掛け外し具を備えることを特徴とする。
【００１２】
請求項８記載の発明は、請求項１から請求項７のいずれか１つに記載のエアロゾルボックスにおいて、前記前面、前記左右の側面の下側にカバーとなるスカートを備えたことを特徴とする。
【発明の効果】
【００１３】
以上の様に構成されているので、本発明によるエアロゾルボックスでは、送付や保管時には、分解や折り畳みの状態で小さな容積となり、使用時には、簡単に構成でき、さらに、従来のものより、大幅に安価に構成でき、又、使い捨ても可能となり、医療の補助具の観点からは、極めて好都合である。
【図面の簡単な説明】
【００１４】
【図１】本発明にかかるエアロゾルボックスの一実施態様を示す図である。
【図２】本発明にかかるエアロゾルボックスの他の実施態様を示す図である。
【図３】本発明にかかるエアロゾルボックスの下（底）板の一実施態様を示す図である。
【図４】本発明にかかるエアロゾルボックスの他の実施態様を示す図である。
【図５】患者からの医療者への感染を防止する従来の装置を示す図である。
【発明を実施するための形態】
【００１５】
図１は、本発明にかかるエアロゾルボックスの一実施態様を示す図である。このような飛沫感染防止の箱状体は、患者の頭部側に被せるようになっているため、医療者側に医療者の施術のための手を入れる施術用穴を有する板面Ａと、頭部の上をカバーし、医療者が患者を見るための透明部を備えた板面Ｂと、板面Ａと板面Ｂとを左右の側面で支える側板面Ｃ、側板面Ｄを備えている。
【００１６】
１−１は、組み立て状態の側面図、１−２は、分解状態の平面図である。１−２の例では、板面Ａ１１０の左右の両側に側板面Ｃ１３０、側板面Ｄ１４０が折り畳み可能についている。板面Ａ１１０の上側に板面Ｂ１２０が折り畳み可能についている。
板面Ａ１１０には、医療者の手を入れる施術用穴１１１が開いている。極力飛沫を防ぐ目的で、施術用穴１１１には、柔軟で開閉可能な覆い１１２を備えるとよい。開いて、手を施術用穴１１１に入れた状態では、覆い１１２は腕にかぶさった状態となる。尚、施術用穴１１１、覆い１１２は、側板面Ｃ１３０、側板面Ｄ１４０に備えることもできる。
板面Ｂ１２０には、医療者が患者を見るための透明部１２１があるが、勿論、板面Ｂ１２０全体を透明部１２１としてもよい。同様に、板面Ａ１１０、側板面Ｃ１３０、側板面Ｄ１４０も透明な素材で構成してもよい。
【００１７】
１−２の様な分解状態の平面図のものに対して、組み立ては、簡単で、組み立て状態では、１−１のようになるが、この例では、板面Ｂ１２０と側板面Ｃ１３０間の合わせ部と、板面Ｂ１２０と側板面Ｄ１４０間の合わせ部を粘着シール等の保持材１５０で保持するだけでよい。勿論、合わせ部の全端に渡り保持してもよいが、患者に被せるだけという性質上、力はかからないので、必ずしもその必要はない。むしろ、飛沫が漏れないようにしようという意味で保持部を長くすることは構わない。
このような構成なので、分解も容易で保持材１５０をはがせば、容易に１−２のように広げられる。なお、板面Ｂ１２０を板面Ａ１１０の下に折り込んで、側板面Ｃ１３０、側板面Ｄ１４０を板面Ａ１１０の上に折り込む等の処理で、１−２の状態からさらに小さな状態にでき、保管や送付には極めて好都合である。
尚、側板面Ｃ１３０、側板面Ｄ１４０には、図のように１辺を所望の傾斜角１６０をもって構成したことで、組み立て後の板面Ｂ１２０を傾斜させている。この図の例では、傾斜角１６０は、約３０°になっている。
【００１８】
１−３では、傾斜板面Ｂ１２０Ａが奥の方で延長され、傾斜してない非傾斜板面Ｂ１２０Ｂを有している。側板面Ｃ１３０、側板面Ｄ１４０も対応した延長部がある。それに応じて、分解状態の平面図は、１−４のようになっている。斜線部が増えたことが、１−２と比較すれば理解されよう。尚、この図には、板の下側に、覆いとなるスカート１７０を付けている。スカート１７０は、その他の図にも適用できるものである。
【００１９】
図２は、本発明にかかるエアロゾルボックスの他の実施態様を示す図である。形状は、図１の１−１のもので描いているが、１−３でも同じである。組み立てられた形状は、１−１と同じであり、解体して広げたものが、２−１のものになっている。２−２は、分解状態の平面図である。それぞれの板が他の板と接する部分には、相互に接続する板間接続具２１０を有している。例えば、この例では、凹凸で嵌り合うことで接続を容易にするものとなっている。他にも、両面粘着テープなども接続を容易にする。この凹凸の接続では、解体も容易である。保持材１５０を剥がし、板を相互に引けば外すことができる。
【００２０】
図３は、本発明にかかるエアロゾルボックスの下（底）板の一実施態様を示す図である。図１と図２では、下板については、特に述べなかった。下板は特になくてもよい。付けたい場合は、患者の横臥に邪魔にならないように、コの字形状の下（底）板３０１にするとよい。
【００２１】
尚、板の材料については、塩化ビニル、ポリカーボネート、ＰＥＴ、ポリプロピレン、アクリル等使用できる。さらに、最も安価にでき、使い捨てが可能な板材として段ボールが挙げられる。
【００２２】
図４は、本発明にかかるエアロゾルボックスの他の実施態様を示す図である。
使用状態の形状が４−１に示される。基本構成として、折り畳み可能なフレーム構造体４１０とフレーム構造体を広げた状態で上にかぶせる透明カバーシート４２０を有している。透明カバーシート４２０は、ビニールシートなど透明で、飛沫を通過させないものであれば、使用できる。
透明カバーシート４２０を外した後のフレーム構造体４１０を４−２に示す。下のフレームはコの字の形状で、上のフレームは、コの字または、図のように四角の形状で、上下のフレームの間の間隔が、変わるようにｘ字（交差構造）のフレームで押さえ、回転と伸縮機構４１１により、折り畳める構成となっている。このような伸縮機構は、通常の技術で目にするものである。折りたたんだ状態は、４−３に示される。
４−２のフレーム構造体は、上面と上面に対向する底側との間隔が縮小・拡大できるように、対向する面を構成する構造間に回転と伸縮による折畳機構を備えたものとなっている。
上面と上面に対向する底側との間隔が拡大している場合は、上面と上面に対向する底側との間隔が固定され、上面と上面に対向する底側との間隔が縮小する場合は、上面と上面に対向する底側との間隔が自在になる固定・解放手段を備える。伸縮機構４１１が、固定・解放手段の役割を果たしている。
【００２３】
尚、４−２のフレーム構造体４１０の代わりに、４−４のフレーム構造体４１０でも折り畳み構成ができる。この例では、上の棒２本を伸縮可能な伸縮機構４１１を使用する。
更に、４−５では、伸縮機構４１１を有する棒を使わずに、棒の先に付けた掛け具（フックなど）と相手先に付けた（掛け具をかけるための）例えば輪または穴とによる掛け外し具４１２を備えると、掛けた状態では、相互に固定され、外すと、相互に自由になるので、折り畳みができて、伸縮機構４１１無しで、等価な構成ができる。図では、掛け外し具４１２は、事情を理解しやすいように、１つは掛けた状態、他方が外した状態を示している。
更に、４−５の発展した構成として、４−６が示されている。
【００２４】
４−６において、４−５の棒の代わりに板面に透明部を備えた板である窓板４１３を備えている。更に、窓板４１３の先に付けた掛け具と例えば輪または穴（掛け具をかけるために相手方につけられる）とによる掛け外し具４１２を備えている。この構成では、窓板４１３が上面を構成し、窓機能と固定・解放手段との両者の役割をする。場合によっては、掛け具と輪または穴は一組となり、掛け外し動作も一度で済むなど好都合である。
【００２５】
４−５、４−６では、上面（窓がある面）の、前のフレームと奥のフレームの間で、固定・解放の役割を行っている。同様に、前面（施術用穴がある面）で、上のフレームと下のフレームの間で固定・解放の役割を行わせることができ、４−７と４−８に示される。
４−５と同様に、４−７では、掛け外し具４１２の一方の掛け具（フック）は棒の先に付けられ、掛け外し具４１２の他方の輪または穴は、相手先として図示のように下側のフレームに付けられている。
【００２６】
４−８では、（４−６の窓板４１３の代わりに）
板面に医療者の施術のための手を入れる施術用穴
を備えた板である前板４１４（図１なら板面Ａに相当）が、前面（施術用穴がある面）で、上のフレームと下のフレームの間で固定・解放の役割をする。
掛け外し具４１２の一方の掛け具（フック）は前板４１４の先に付けられ、掛け外し具４１２の他方の輪または穴は、相手先として図示のように下側のフレームに付けられている。
この構成では、前板４１４が前面を構成し、施術用穴１１１を有した操作面機能と固定・解放手段との両者の役割をする。場合によっては、掛け具と輪または穴は一組となり、掛け外し動作も一度で済むなど好都合である。
【００２７】
４−９では、４−６と４−８の合体したもので、窓板４１３と前板４１４の両者の役割を備えたものである。
【００２８】
４−４、４−５、４−６、４−７、４−８、４−９のフレーム構造体４１０は、構造上次の特徴を備える。すなわち、フレーム構造体４１０は、前面と前面に対向する奥側との間隔が縮小・拡大できるように、対向する二つ側面の位置に回転自在な交差構造の折畳機構を備え、前面と前面に対向する奥側との間隔が拡大している場合は、前面と前面に対向する奥側との間隔が固定され、前面と前面に対向する奥側との間隔が縮小する場合は、前面と前面に対向する奥側との間隔が自在になる固定・解放手段を備える。伸縮機構４１１や掛け外し具４１２が固定・解放手段の役割を果たしている。
【００２９】
４−１では透明カバーシート４２０に、４−８と４−９では前板４１４に、医療者の手を入れる施術用穴１１１が開いている。
フレームの材料としては、プラスチックや、アルミ、鉄等の金属で、棒、パイプなど利用できるが、重量がかからないので、軽いものが適している。
尚、掛け具と輪または穴を付ける窓板４１３、前板４１４と固定のために把持される相手方との関係は、反対でもよいことは勿論である。例えば、窓板４１３、前板４１４に輪または穴を付け、相手方に掛け具を付けてもよい。
更に、フレーム構造体４１０を広げた状態で透明カバーシート４２０を上にかぶせる記述をしたが、反対に、フレーム構造体４１０を広げた状態で透明カバーシート４２０をフレーム構造体４１０の内側に張ることも可能であり、この場合は、フレーム構造体４１０が飛沫に汚染されることが低減されて維持が容易になる長所がある。
【産業上の利用可能性】
【００３０】
以上のように本発明にかかるエアロゾルボックスは、不使用時は、容易に容積を縮小した状態にできるので、搬送や保管に極めて好都合で、使用時は簡単に使用状態の形状にでき、しかも、安価に構成できるので、産業上利用して極めて好都合である。
【００３１】
１１０  板面Ａ
１１１  施術用穴
１１２  覆い
１２０  板面Ｂ
１２０Ｂ  傾斜板面Ｂ
１２１  透明部
１３０  側板面Ｃ
１４０  側板面Ｄ
１５０  保持材
１６０  傾斜角
１７０  スカート
２１０  板間接続具
４１０  フレーム構造体
４１１  伸縮機構
４１２  掛け外し具
４１３  窓板
４１４  前板
４２０  透明カバーシート
【図１】
2022001165.tif 000003
【図２】
2022001165.tif 000004
【図３】
2022001165.tif 000005
【図４】
2022001165.tif 000006
【図５】
2022001165.tif 000007
【手続補正書】
【提出日】令和3年2月4日(2021.2.4)
【手続補正１】
【補正対象書類名】特許請求の範囲
【補正対象項目名】全文
【補正方法】変更
【補正の内容】
【特許請求の範囲】
【請求項１】
患者に被せ、前記患者からの飛沫から医療者を分離・保護するボックスであり、前記ボックスは、前記医療者が向き合う前面と、前記医療者が患者を見るための透明部を備えた上面と、前記前面と前記上面を側で把持する左右の側面と、を有し、前記前面と前記側面との少なくとも一方は、前記医療者の手を出し入れする施術穴を有し、使用時の箱状態に対して、不使用時は、容積を縮小可能としたものであって、
折り畳み可能なフレーム構造体と、前記フレーム構造体を広げた状態で外側にかぶせるか、または内側に張るカバーシートを有し、前記カバーシートは、少なくとも前記上面に位置する部分は前記透明部を備え、更に、前記前面と前記側面の少なくとも一方に対応する前記カバーシートの部分は、前記施術穴を備え、前記フレーム構造体は、前記前面と、前記前面に対向する奥側との間隔が縮小・拡大できるように、前記対向する二つ側面の位置に回転自在な交差構造の折畳機構を備え、前記前面と前記前面に対向する奥側との間隔が拡大している場合は、前記前面と前記前面に対向する奥側との間隔が固定され、前記前面と前記前面に対向する奥側との間隔が縮小する場合は、前記前面と前記前面に対向する奥側との間隔が自在になる固定・解放手段を備え、
前記固定・解放手段は、棒と、前記棒の先と前記固定のために把持される相手方とに両者の固定と解放を行う掛け外し具を備えるか、
または、板面に透明部を備えた板である窓板又は／及び、板面に前記施術穴を備えた板である前板と、前記窓板又は／及び、前記前板の先と前記固定のために把持される相手方とに両者の固定と解放を行う掛け外し具を備えることを特徴とするエアロゾルボックス。
【手続補正２】
【補正対象書類名】明細書
【補正対象項目名】全文
【補正方法】変更
【補正の内容】
【発明の詳細な説明】
【技術分野】
【０００１】
本発明は、横臥した患者の頭部側と施術する医療者とを空間的に分離して、医療者への飛沫による感染を防止するエアロゾルボックスに関するものである。
【背景技術】
【０００２】
図５は、患者からの医療者への感染を防止する従来の装置を示す図である。
図５において、５−１から５−３は、患者が立った（座った）状態に対応するものであり、特許文献１から特許文献３に記述されたものである。５−４は、患者が横臥した状態に対応するものである。５−１では、患者の後ろに置かれるスタンドの上部に付いた手動で半回転可能なカバーにより患者の頭部を覆い、医療者に直接、飛沫が当たりにくくしたものである。
患者の立ち（座り）状態に対応するものとして優れたものであるが、回転により、伸縮する折り目は、消毒殺菌処理がしにくい欠点がある。又、持ち運び容易なものではない。
５−２では、同様に患者の立ち（座り）状態に対応するものであり、患者と医療者の間を透明な衝立で分離し、衝立の患者側で中央高さから上下方向に、エアの流れを作ることで、医療者に直接、飛沫が当たらないようにしたものである。診察室に後から設置できる点で好ましいが、医療では、多くの設備があるので、エアを導入する設備などは、本来的には余分なものになり、付けたり外したりを考えると煩わしい欠点がある。
５−３では、患者の立ち（座り）状態に対応するものとして、必要時に、患者と医療者の間に吊り下げる幕であり、簡単な構成であり、即座の対応がしやすい。欠点として、幕の横幅をある程度大きくしないと漏れが生ずる恐れがある。
上記の３者は、軽症者に対応するもので、横臥状態の様な重症の患者に対応するものではない。
５−４では、上記の３者と違い、横臥した患者と医療者との分離を目的にしたものである。
横臥した患者の頭部に被せる透明な箱状体であり、医療者が患者に施術するための手挿入穴を備えており、市販されている。箱状体は、アクリルの透明板を溶接や接着してしっかりした箱を形成しているが、医療者が利用時はいいが、逆説的に、使用しない状態では、その大きさが邪魔になるという欠点があり、困った存在である。例えば、購入時に、メーカから医療者に送付する場合、送付において、大きな箱状体は不都合な存在であり、壊れないように梱包もしっかりしないといけない。使用時を終えて、使用しない場合の保管は、これも場所をとり、壊れないように気をつかう厄介さがある。この箱状体は、常時使うべき装置ではなく、特殊な状態で一気に使用する性質がある。
このような観点からは、箱状体は、使用時でないときは、小さくするための分解・折り畳みが、使用時には組み立てが容易であることが、この箱状体の特徴として最も重要な課題である。このような観点からみて、横臥者対応の患者と医療者の分離手段は、未だ満足のいく状態ではなかった。
【先行技術文献】
【特許文献】
【０００３】
【特許文献１】特開２０１１−０３１０１９
【特許文献２】特開２０１１−８３３０５
【特許文献３】特開２００４−２２５２３２
【発明の概要】
【発明が解決しようとする課題】
【０００４】
本願の課題は、飛沫感染防止のため、横臥した患者と医療者を分離するもので、
使用時でないときは、容積を小さくするための分解・折り畳みが、使用時には組立・拡大が、容易な箱状体のエアロゾルボックスを提供することである。
【課題を解決するための手段】
【０００５】
以下請求項に沿い記述する。
請求項１に記載の発明は、エアロゾルボックスであって、
患者に被せ、前記患者からの飛沫から医療者を分離・保護するボックスであり、前記ボックスは、前記医療者が向き合う前面と、前記医療者が患者を見るための透明部を備えた上面と、前記前面と前記上面を側で把持する左右の側面と、を有し、前記前面と前記側面との少なくとも一方は、前記医療者の手を出し入れする施術穴を有し、使用時の箱状態に対して、不使用時は、容積を縮小可能としたものであって、
折り畳み可能なフレーム構造体と、前記フレーム構造体を広げた状態で外側にかぶせるか、または内側に張るカバーシートを有し、前記カバーシートは、少なくとも前記上面に位置する部分は前記透明部を備え、更に、前記前面と前記側面の少なくとも一方に対応する前記カバーシートの部分は、前記施術穴を備え、前記フレーム構造体は、前記前面と、前記前面に対向する奥側との間隔が縮小・拡大できるように、前記対向する二つ側面の位置に回転自在な交差構造の折畳機構を備え、前記前面と前記前面に対向する奥側との間隔が拡大している場合は、前記前面と前記前面に対向する奥側との間隔が固定され、前記前面と前記前面に対向する奥側との間隔が縮小する場合は、前記前面と前記前面に対向する奥側との間隔が自在になる固定・解放手段を備え、
前記固定・解放手段は、棒と、前記棒の先と前記固定のために把持される相手方とに両者の固定と解放を行う掛け外し具を備えるか、
または、板面に透明部を備えた板である窓板又は／及び、板面に前記施術穴を備えた板である前板と、前記窓板又は／及び、前記前板の先と前記固定のために把持される相手方とに両者の固定と解放を行う掛け外し具を備えることを特徴とする。
【発明の効果】
【０００６】
以上の様に構成されているので、本発明によるエアロゾルボックスでは、送付や保管時には、分解や折り畳みの状態で小さな容積となり、使用時には、簡単に構成でき、さらに、従来のものより、大幅に安価に構成でき、又、使い捨ても可能となり、医療の補助具の観点からは、極めて好都合である。
【図面の簡単な説明】
【０００７】
【図１】本発明にかかるエアロゾルボックスの一実施態様を示す図である。
【図２】本発明にかかるエアロゾルボックスの他の実施態様を示す図である。
【図３】本発明にかかるエアロゾルボックスの下（底）板の一実施態様を示す図である。
【図４】本発明にかかるエアロゾルボックスの他の実施態様を示す図である。
【図５】患者からの医療者への感染を防止する従来の装置を示す図である。
【発明を実施するための形態】
【０００８】
図１は、本発明にかかるエアロゾルボックスの一実施態様を示す図である。このような飛沫感染防止の箱状体は、患者の頭部側に被せるようになっているため、医療者側に医療者の施術のための手を入れる施術用穴を有する板面Ａと、頭部の上をカバーし、医療者が患者を見るための透明部を備えた板面Ｂと、板面Ａと板面Ｂとを左右の側面で支える側板面Ｃ、側板面Ｄを備えている。
【０００９】
１−１は、組み立て状態の側面図、１−２は、分解状態の平面図である。１−２の例では、板面Ａ１１０の左右の両側に側板面Ｃ１３０、側板面Ｄ１４０が折り畳み可能についている。板面Ａ１１０の上側に板面Ｂ１２０が折り畳み可能についている。
板面Ａ１１０には、医療者の手を入れる施術用穴１１１が開いている。極力飛沫を防ぐ目的で、施術用穴１１１には、柔軟で開閉可能な覆い１１２を備えるとよい。開いて、手を施術用穴１１１に入れた状態では、覆い１１２は腕にかぶさった状態となる。尚、施術用穴１１１、覆い１１２は、側板面Ｃ１３０、側板面Ｄ１４０に備えることもできる。
板面Ｂ１２０には、医療者が患者を見るための透明部１２１があるが、勿論、板面Ｂ１２０全体を透明部１２１としてもよい。同様に、板面Ａ１１０、側板面Ｃ１３０、側板面Ｄ１４０も透明な素材で構成してもよい。
【００１０】
１−２の様な分解状態の平面図のものに対して、組み立ては、簡単で、組み立て状態では、１−１のようになるが、この例では、板面Ｂ１２０と側板面Ｃ１３０間の合わせ部と、板面Ｂ１２０と側板面Ｄ１４０間の合わせ部を粘着シール等の保持材１５０で保持するだけでよい。勿論、合わせ部の全端に渡り保持してもよいが、患者に被せるだけという性質上、力はかからないので、必ずしもその必要はない。むしろ、飛沫が漏れないようにしようという意味で保持部を長くすることは構わない。
このような構成なので、分解も容易で保持材１５０をはがせば、容易に１−２のように広げられる。なお、板面Ｂ１２０を板面Ａ１１０の下に折り込んで、側板面Ｃ１３０、側板面Ｄ１４０を板面Ａ１１０の上に折り込む等の処理で、１−２の状態からさらに小さな状態にでき、保管や送付には極めて好都合である。
尚、側板面Ｃ１３０、側板面Ｄ１４０には、図のように１辺を所望の傾斜角１６０をもって構成したことで、組み立て後の板面Ｂ１２０を傾斜させている。この図の例では、傾斜角１６０は、約３０°になっている。
【００１１】
１−３では、傾斜板面Ｂ１２０Ａが奥の方で延長され、傾斜してない非傾斜板面Ｂ１２０Ｂを有している。側板面Ｃ１３０、側板面Ｄ１４０も対応した延長部がある。それに応じて、分解状態の平面図は、１−４のようになっている。斜線部が増えたことが、１−２と比較すれば理解されよう。尚、この図には、板の下側に、覆いとなるスカート１７０を付けている。スカート１７０は、その他の図にも適用できるものである。
【００１２】
図２は、本発明にかかるエアロゾルボックスの他の実施態様を示す図である。形状は、図１の１−１のもので描いているが、１−３でも同じである。組み立てられた形状は、１−１と同じであり、解体して広げたものが、２−１のものになっている。２−２は、分解状態の平面図である。それぞれの板が他の板と接する部分には、相互に接続する板間接続具２１０を有している。例えば、この例では、凹凸で嵌り合うことで接続を容易にするものとなっている。他にも、両面粘着テープなども接続を容易にする。この凹凸の接続では、解体も容易である。保持材１５０を剥がし、板を相互に引けば外すことができる。
【００１３】
図３は、本発明にかかるエアロゾルボックスの下（底）板の一実施態様を示す図である。図１と図２では、下板については、特に述べなかった。下板は特になくてもよい。付けたい場合は、患者の横臥に邪魔にならないように、コの字形状の下（底）板３０１にするとよい。
【００１４】
尚、板の材料については、塩化ビニル、ポリカーボネート、ＰＥＴ、ポリプロピレン、アクリル等使用できる。さらに、最も安価にでき、使い捨てが可能な板材として段ボールが挙げられる。
【００１５】
図４は、本発明にかかるエアロゾルボックスの他の実施態様を示す図である。
使用状態の形状が４−１に示される。基本構成として、折り畳み可能なフレーム構造体４１０とフレーム構造体を広げた状態で上にかぶせる透明カバーシート４２０を有している。透明カバーシート４２０は、ビニールシートなど透明で、飛沫を通過させないものであれば、使用できる。
透明カバーシート４２０を外した後のフレーム構造体４１０を４−２に示す。下のフレームはコの字の形状で、上のフレームは、コの字または、図のように四角の形状で、上下のフレームの間の間隔が、変わるようにｘ字（交差構造）のフレームで押さえ、回転と伸縮機構４１１により、折り畳める構成となっている。このような伸縮機構は、通常の技術で目にするものである。折りたたんだ状態は、４−３に示される。
４−２のフレーム構造体は、上面と上面に対向する底側との間隔が縮小・拡大できるように、対向する面を構成する構造間に回転と伸縮による折畳機構を備えたものとなっている。
上面と上面に対向する底側との間隔が拡大している場合は、上面と上面に対向する底側との間隔が固定され、上面と上面に対向する底側との間隔が縮小する場合は、上面と上面に対向する底側との間隔が自在になる固定・解放手段を備える。伸縮機構４１１が、固定・解放手段の役割を果たしている。
【００１６】
尚、４−２のフレーム構造体４１０の代わりに、４−４のフレーム構造体４１０でも折り畳み構成ができる。この例では、上の棒２本を伸縮可能な伸縮機構４１１を使用する。
更に、４−５では、伸縮機構４１１を有する棒を使わずに、棒の先に付けた掛け具（フックなど）と相手先に付けた（掛け具をかけるための）例えば輪または穴とによる掛け外し具４１２を備えると、掛けた状態では、相互に固定され、外すと、相互に自由になるので、折り畳みができて、伸縮機構４１１無しで、等価な構成ができる。図では、掛け外し具４１２は、事情を理解しやすいように、１つは掛けた状態、他方が外した状態を示している。
更に、４−５の発展した構成として、４−６が示されている。
【００１７】
４−６において、４−５の棒の代わりに板面に透明部を備えた板である窓板４１３を備えている。更に、窓板４１３の先に付けた掛け具と例えば輪または穴（掛け具をかけるために相手方につけられる）とによる掛け外し具４１２を備えている。この構成では、窓板４１３が上面を構成し、窓機能と固定・解放手段との両者の役割をする。場合によっては、掛け具と輪または穴は一組となり、掛け外し動作も一度で済むなど好都合である。
【００１８】
４−５、４−６では、上面（窓がある面）の、前のフレームと奥のフレームの間で、固定・解放の役割を行っている。同様に、前面（施術用穴がある面）で、上のフレームと下のフレームの間で固定・解放の役割を行わせることができ、４−７と４−８に示される。
４−５と同様に、４−７では、掛け外し具４１２の一方の掛け具（フック）は棒の先に付けられ、掛け外し具４１２の他方の輪または穴は、相手先として図示のように下側のフレームに付けられている。
【００１９】
４−８では、（４−６の窓板４１３の代わりに）
板面に医療者の施術のための手を入れる施術用穴
を備えた板である前板４１４（図１なら板面Ａに相当）が、前面（施術用穴がある面）で、上のフレームと下のフレームの間で固定・解放の役割をする。
掛け外し具４１２の一方の掛け具（フック）は前板４１４の先に付けられ、掛け外し具４１２の他方の輪または穴は、相手先として図示のように下側のフレームに付けられている。
この構成では、前板４１４が前面を構成し、施術用穴１１１を有した操作面機能と固定・解放手段との両者の役割をする。場合によっては、掛け具と輪または穴は一組となり、掛け外し動作も一度で済むなど好都合である。
【００２０】
４−９では、４−６と４−８の合体したもので、窓板４１３と前板４１４の両者の役割を備えたものである。
【００２１】
４−４、４−５、４−６、４−７、４−８、４−９のフレーム構造体４１０は、構造上次の特徴を備える。すなわち、フレーム構造体４１０は、前面と前面に対向する奥側との間隔が縮小・拡大できるように、対向する二つ側面の位置に回転自在な交差構造の折畳機構を備え、前面と前面に対向する奥側との間隔が拡大している場合は、前面と前面に対向する奥側との間隔が固定され、前面と前面に対向する奥側との間隔が縮小する場合は、前面と前面に対向する奥側との間隔が自在になる固定・解放手段を備える。伸縮機構４１１や掛け外し具４１２が固定・解放手段の役割を果たしている。
【００２２】
４−１では透明カバーシート４２０に、４−８と４−９では前板４１４に、医療者の手を入れる施術用穴１１１が開いている。
フレームの材料としては、プラスチックや、アルミ、鉄等の金属で、棒、パイプなど利用できるが、重量がかからないので、軽いものが適している。
尚、掛け具と輪または穴を付ける窓板４１３、前板４１４と固定のために把持される相手方との関係は、反対でもよいことは勿論である。例えば、窓板４１３、前板４１４に輪または穴を付け、相手方に掛け具を付けてもよい。
更に、フレーム構造体４１０を広げた状態で透明カバーシート４２０を上にかぶせる記述をしたが、反対に、フレーム構造体４１０を広げた状態で透明カバーシート４２０をフレーム構造体４１０の内側に張ることも可能であり、この場合は、フレーム構造体４１０が飛沫に汚染されることが低減されて維持が容易になる長所がある。
【産業上の利用可能性】
【００２３】
以上のように本発明にかかるエアロゾルボックスは、不使用時は、容易に容積を縮小した状態にできるので、搬送や保管に極めて好都合で、使用時は簡単に使用状態の形状にでき、しかも、安価に構成できるので、産業上利用して極めて好都合である。
【００２４】
１１０  板面Ａ
１１１  施術用穴
１１２  覆い
１２０  板面Ｂ
１２０Ｂ  傾斜板面Ｂ
１２１  透明部
１３０  側板面Ｃ
１４０  側板面Ｄ
１５０  保持材
１６０  傾斜角
１７０  スカート
２１０  板間接続具
４１０  フレーム構造体
４１１  伸縮機構
４１２  掛け外し具
４１３  窓板
４１４  前板
４２０  透明カバーシート